(57)【要約】【課題】自転車ロッカーは自転車が収納できる程度の大きなサイズのロッカーとなる為、製造価格が高額となり、多数を並べた場合には設置費用が多額となる。【解決手段】各パネルは金属製の長方形の板状部材にて構成され、端部を２回以上折り曲げた形状とし、側面パネル２枚、背面パネル１枚、天面パネル１枚、床面パネル１枚にて構成される自転車ロッカー本体に対し、開閉可能なドアを設けた直方体状の保管庫を基本セットとし、この基本セットに対し側面パネル１枚、背面パネル１枚、天面パネル１枚、床面パネル１枚、ドア１枚からなる追加セットを並べて接続することにより、締結部を外部に露出せずに収納スペース数を増加可能とする。以上の手段により、基本セットを並べた場合と比較して必要な側面パネル数が少なくなる為、１つの収納スペース当たりの価格を安価とすることが可能となる。【選択図】図１
2014173272.tif 000002
【特許請求の範囲】
【請求項１】
自転車及びその他の物を収容する為の自転車ロッカーにおいて、複数台の自転車ロッカーを並べて設置する際に、隣接する自転車ロッカーの側面パネルを共有可能な構造を有し、側面パネル２枚、背面パネル１枚、天面パネル１枚、床面パネル１枚にて構成される自転車ロッカー本体に対し、開閉可能なドアを設けた直方体状の保管庫を基本セットとし、この基本セットに対し側面パネル１枚、背面パネル１枚、天面パネル１枚、床面パネル１枚にて構成される追加セット用自転車ロッカー本体及び、開閉可能なドア１枚からなる追加セットを接続することにより、収納スペース数を増加可能とする自転車ロッカー。
【請求項２】
前記自転車ロッカー本体及び前記追加用自転車ロッカー本体のパネルの一部若しくは全ての端部を２回以上折り曲げた形状とし、複数台の自転車ロッカーを並べて設置する際に、隣接する背面パネルの側面間、天面パネルの側面間、床面パネルの側面間の一部若しくは全てを締結するとともに、異なる折り曲げ面の一部若しくは全てに側面パネルを締結させ、締結部が外部に露出しない請求項１記載の自転車ロッカー。
【請求項３】
前記自転車ロッカー本体と前記追加用自転車ロッカー本体、又は、前記追加用自転車ロッカー本体と更に追加された前記追加用自転車ロッカー本体で共有される側面パネルの端部を２回以上折り曲げた形状とし、複数台の自転車ロッカーを並べて設置する際に、背面パネル側面、天面パネル側面、床面パネル側面の一部若しくは全てに側面パネルの折り曲げ部位を締結し、締結部が外部に露出しない請求項１記載の自転車ロッカー。
【請求項４】
複数台の自転車ロッカーを並べて設置する際に、２つ以上の背面パネル、若しくは２つ以上の天面パネル、若しくは２つ以上の床面パネルを一体化した請求項１乃至請求項２記載の自転車ロッカー。
【発明の詳細な説明】
【技術分野】
【０００１】
本発明は、自転車等を保管する為の自転車ロッカーの構造に関する。
【背景技術】
【０００２】
外出先において自転車は駐輪場に保管されることが一般的である。また、駐輪場は自転車を保持するラックを使用し、多くの台数を収容していることが多い。この為一般的な駐輪場では自転車同士が当たり、自転車に傷がつく、自転車に容易に触れられる為盗難に対する防御が難しいといった問題を有しており、比較的高価な自転車を所有する人はこの様な駐輪場を利用しないことが多い。
以上の状況を鑑みて、自転車を安全に保管する為に建物の中で自転車を預かるサービスや、自転車を収納する自転車ロッカーを活用するサービスが見受けられる。
【先行技術文献】
【特許文献】
【０００３】
【特許文献１】特開２００５−９０１６６
【特許文献２】実願昭５１−０９４２９９
【発明の概要】
【発明が解決しようとする課題】
【０００４】
従来自転車は安価な乗り物であった為、自転車を保管する対価として高額な料金を支払う認識が一般的には持たれていない。しかし、高価な自転車を安全に保管する為の自転車ロッカーは自転車が収納できる程度の大きなロッカーとなる為、製造価格が高額となり、多数を並べた場合には設置費用が多額となる。
【０００５】
鉄道駅等で広く利用されている、荷物を収納するコインロッカーは、複数個の収納スペースを有したコインロッカーを１セットとして提供し、１つの収納スペース当たりの価格を低下させているが、この場合には製造側で決められた収納スペース数を一体化しており、設置者が希望の数量を選ぶことができない。また、複数個の収納スペースを一体化したロッカーにおいて収納スペース数量を選択可能とする為には、多くのバリエーションを用意することとなり、製造側にとって大きな負担となる。
【０００６】
上述した特許文献１の保管庫は基本ユニットに対して補助ユニットを継ぎ足すことで保管庫の奥行きを増加可能であるが、収納スペース数を増加させることができない。また、特許文献２についても同様で、パネルを連結させることにより保管庫の奥行き及び幅を増加可能であるが、収納スペース数を増加させることができない。
また、特許文献１及び特許文献２の方法で保管庫の奥行きを増加させる為には、奥行きを増加させた状態で積雪があった場合にも天面パネルが曲がらない強度を有し、内部に重量物を収納した場合にも床面パネルが曲がらない強度を有している必要があり、パネルの厚さを高める等の方法で各パネルの強度を確保しておく必要があり、保管庫が高価になる可能性がある。
【０００７】
本発明は設置者が希望する自転車ロッカー数を、安価に提供することを目的としている。
【課題を解決するための手段】
【０００８】
本発明の自転車ロッカーは自転車及びその他用途の保管庫であって、複数台の自転車ロッカーを並べて設置する際に、隣り合った自転車ロッカーの側面パネルを共有可能な構造を有し、側面パネル２枚、背面パネル１枚、天面パネル１枚、床面パネル１枚にて構成される自転車ロッカー本体に対し、開閉可能なドアを設けた直方体状の保管庫を基本セットとし、この基本セットに対し側面パネル１枚、背面パネル１枚、天面パネル１枚、床面パネル１枚にて構成される追加セット用自転車ロッカー本体及び、開閉可能なドア１枚からなる追加セットを接続することにより、収納スペース数を増加可能とする。以上の構成により、基本セットを並べた場合と比較して必要な側面パネル数が少なくなる為、１つの収納スペース当たりの価格を安価とすることが可能となる。
【０００９】
前記自転車ロッカーの各パネルはアルミニウムや鋼板等の金属製の長方形の板状部材にて構成され、端部を２回以上折り曲げた形状とし、複数台の自転車ロッカーを並べて設置する際には、折り曲げた面同士を突き当て、隣接する背面パネル間、天面パネル間、床面パネル間の一部若しくは全てをボルトとナット等の強度を有する手段で締結するとともに、異なる折り曲げた面に側面パネルを締結することで、締結部を外部に露出せずに締結することが可能となる。また、側面パネルを隣接する背面パネル間、天面パネル間、床面パネル間に配置して締結した場合も同様に、締結部を外部に露出せずに締結することが可能である。更に、いずれの構成とした場合でも、最も左側若しくは最も右側に位置する側面パネルにおいても、締結部を外部に露出しない構成となる。以上により、簡単なパネル形状で、隣り合った自転車ロッカーの側面パネルを共有することができ、安価に自転車ロッカーを並べることが可能となる。
【００１０】
また、複数台の自転車ロッカーを並べて設置する際に、２つ以上の背面パネル、若しくは２つ以上の天面パネル、若しくは２つ以上の床面パネルを一体化させてパネル枚数を削減させることにより、バリエーション増加が許容される範囲で、より安価に提供することが可能である。
【００１１】
更に、隣り合った自転車ロッカーにおいて共有された側面パネルで天面パネル及び床面パネルを支持若しくは締結することにより、追加セットを接続した場合でも基本セットと同じ天面パネル強度及び床面パネル強度を確保することが可能となる。
【発明の効果】
【００１２】
自転車等を安全に収納できる自転車ロッカーを安価に提供することができる。
【図面の簡単な説明】
【００１３】
【図１】本発明の一実施例における自転車ロッカー外観斜視図である。
【図２】同自転車ロッカー断面図である。
【図３】同自転車ロッカー締結部断面図である。
【図４】同自転車ロッカーにおいて側面パネルを挟んだ締結部断面図である。
【発明を実施するための形態】
【００１４】
以下、本発明の実施の形態を図に基づいて説明する。
【実施例１】
【００１５】
図１は本発明の自転車ロッカー外観斜視図、図２は同自転車ロッカー断面図、図３は同自転車ロッカー締結部断面図である。
自転車ロッカー本体は側面パネル左１、側面パネル右２、背面パネル３、天面パネル４、床面パネル５にて構成される。
【００１６】
側面パネル左１、側面パネル右２、背面パネル３、天面パネル４、床面パネル５はアルミニウムや鋼板等の金属製の長方形の板状部材にて構成されている。
側面パネル左１、側面パネル右２、背面パネル３、天面パネル４、床面パネル５の４辺はそれぞれ内側に２回以上折り曲げられた折り曲げ部が設けられている。この折り曲げ部によりそれぞれのパネル強度を確保している。
【００１７】
側面パネル左１、側面パネル右２、背面パネル３、天面パネル４、床面パネル５の折り曲げ部において締結される面には貫通孔が設けられ、側面パネル左１、側面パネル右２、背面パネル３、天面パネル４、床面パネル５それぞれの端部に設けられた折り曲げ部を突き当て、貫通孔にボルトとナット等固定強度が保てる手段を用いて固定する。それぞれの折り曲げ部は自転車ロッカー本体の内側に存在していることになるので、固定作業は内側から行うことが可能となり、高い防犯性能を確保できる。また、床面パネル５においては折り曲げ部を自転車ロッカー本体の外側に設けても、締結部は自転車ロッカー本体と設置した地面で隠すことが可能であり、同様の防犯性能を得ることが可能である。
それぞれのパネルの強度を確保している折り曲げ部同士を固定しており、また、折り曲げ部に筋交い１０を締結し、自転車ロッカー本体としての強度を保つことが可能となる。
【００１８】
ドア６はアルミニウムや鋼板等の金属製の長方形の板状部材にて構成される。ドア６は側面パネル左１に図示しない既存の蝶番等を用いて自転車ロッカー本体に対して開閉自在に取り付けられる。
ドア６には自転車用ロッカー本体に対する開閉を規制する為のロータリーキー１４が設けられている。
【００１９】
側面パネル左１、側面パネル右２、背面パネル３、天面パネル４、床面パネル５にて構成される自転車ロッカー本体に対し、開閉可能なドア６を設けた直方体状の保管庫を基本セットとし、この基本セットに対し側面パネル右２、背面パネル３、天面パネル４、床面パネル５にて構成される追加セット用自転車ロッカー本体及び、開閉可能なドア６からなる追加セットを接続する。
追加セットを固定する際には、基本セットの背面パネル３の折り曲げ部と追加セットの背面パネル３の折り曲げ部、基本セットの天面パネル４の折り曲げ部と追加セットの天面パネル４の折り曲げ部、基本セットの床面パネル５の折り曲げ部と追加セットの床面パネル５の折り曲げ部を突き当て、折り曲げ部に設けた貫通孔に対してボルトとナットを用いて締結する。隣接する自転車ロッカーで共有する側面パネル右２は、背面パネル３、天面パネル４、床面パネル５の一部若しくは全ての折り曲げ部に締結される。追加セットのドア６は基本セットの側面パネル右２に図示しない既存の蝶番等を用いて自転車ロッカー本体に対して開閉自在に取り付けられる。
【００２０】
図４は同自転車ロッカーにおいて側面パネルを挟んだ締結部断面図である。
前記自転車ロッカーの追加セットを固定する際には、隣接する背面パネル３間、隣接する天面パネル４間、隣接する床面パネル５間に、端部を２回以上折り曲げた側面パネル右２の折り曲げ部を挟んで締結した場合でも、固定作業を自転車ロッカー本体内行うことが可能である。
【００２１】
更に追加セット数を接続することにより、希望する収納スペース数量を選択することが可能となる。
【００２２】
自転車ロッカー本体の内部の上部には天面パネル４に固定されるアルミニウムや鉄等の金属製のパイプや棒状部材にて構成されるバー１１が設けられる。
バー１１にはアルミニウムや鉄等の金属製部材から構成される自転車を吊り下げる為の自転車ハンガー１２が、バー１１に対して前後方向にスライド可能に嵌合される。
バー１１の端部は天面パネル４のフランジ部に対してボルトとナット等を用いて固定される。
【００２３】
自転車は自転車ハンガー１２をドア６側にスライドし、自転車の前輪を自転車ハンガー１２に吊り下げ、自転車を立てた状態で自転車ロッカー本体の内部に自転車ハンガー１２をスライドさせて収納する。
自転車を立てた状態で自転車ロッカー内に保管することによって、自転車ロッカーを小型化でき、小さいスペースに自転車を保管することが可能となる。
また、容易な姿勢で自転車の吊り下げ作業を行うことが可能となり、吊り下げられた自転車は力を入れる必要なくスライドをさせ収納することができる。
更に自転車の前輪を自転車ハンガー１２に吊り下げることにより、自転車のリム、スポーク等に曲げ方向の力がかからなくなる為、自転車の破損を防止できる。
【産業上の利用可能性】
【００２４】
本発明によれば自転車を安全に保管することが可能な自転車ロッカーを安価に提供することができる。
【符号の説明】
【００２５】
１    側面パネル左
２    側面パネル右
３    背面パネル
４    天面パネル
５    床面パネル
６    ドア
１０    筋交い
１１    バー
１２    自転車ハンガー
１３    チェーンロック用フック
１４    ロータリーキー
【図１】
2014173272.tif 000003
【図２】
2014173272.tif 000004
【図３】
2014173272.tif 000005
【図４】
2014173272.tif 000006